(57)【要約】【課題】床暖房パネルの温度の立ち上がりを速くする。【解決手段】暖房装置は、床暖房パネル４Ａ、４Ｂの設定温度を変更するリモコンと、設定温度に基づいて、床暖房パネル４Ａ、４Ｂから暖房ユニットに戻される戻り温水温度の基準目標温度を決定する基準目標温度決定部６２と、基準目標温度決定部６２で決定された基準目標温度を、床暖房パネル４の床材厚さが薄いほど低くなるように補正して、補正目標温度を決定する補正目標温度決定部６３と、ヒートポンプユニット及び暖房ユニットを制御して暖房運転を行う制御部６０とを有する。制御部６０は、基準目標温度決定部６２で決定された目標温度に基づいて暖房運転を開始すると共に、戻り温水の温度が補正目標温度決定部６３で決定された補正目標温度に達した後は、補正目標温度に基づいて暖房運転を行う。【選択図】図３
2012172933.tif 000002
【特許請求の範囲】
【請求項１】
ヒートポンプユニットと、前記ヒートポンプユニットに接続され且つ温調水の温度を調整する暖房ユニットと、前記暖房ユニットから温調水が供給される床暖房パネルとを備えた暖房装置であって、
前記床暖房パネルの設定温度を変更する設定温度変更手段と、
前記設定温度変更手段により変更された設定温度に基づいて、前記暖房ユニットから前記床暖房パネルに供給される往き温水温度または前記床暖房パネルから前記暖房ユニットに戻される戻り温水温度の基準目標温度を決定する基準目標温度決定手段と、
前記基準目標温度決定手段で決定された基準目標温度を、前記床暖房パネルの床材厚さが薄いほど低くなるように補正して、補正目標温度を決定する補正目標温度決定手段と、
前記ヒートポンプユニット及び前記暖房ユニットを制御して暖房運転を行う制御手段とを有し、
前記制御手段は、
前記基準目標温度決定手段で決定された目標温度に基づいて暖房運転を開始すると共に、前記往き温水または前記戻り温水の温度が前記補正目標温度決定手段で決定された補正目標温度に達した後は、補正目標温度に基づいて暖房運転を行うことを特徴とする暖房装置。
【発明の詳細な説明】
【技術分野】
【０００１】
本発明は、暖房ユニットから供給される温調水によって加熱される床暖房パネルを備える暖房装置に関するものである。
【背景技術】
【０００２】
暖房装置として、ヒートポンプユニットと、床暖房パネルと、ヒートポンプユニットから供給された冷媒によって床暖房パネルに供給する温水を加熱する暖房ユニットとを備えたものが知られている（例えば特許文献１）。暖房ユニットは、ヒートポンプユニットから供給された冷媒と、暖房端末に供給される温水との間で熱交換させる水熱交換器を備えている。床暖房パネルは、冷媒が流れるパイプと、パイプの上に配置される床材とを有する。
【０００３】
特許文献１の暖房装置では、様々な厚さの床材を用いることができ、床材の厚さに応じた設定で制御を行っている。床材の厚さが薄いほど、床暖房パネルのパイプの熱が床表面に伝わりやすいため、床材の厚さが薄い場合に、厚い場合と同じ温度の温調水を床暖房パネルに供給すると、床暖房パネルの温度が設定温度よりも高くなってしまう。そのため、暖房パネルに供給される温調水の目標温度を、床材の厚さが薄いほど低くなるように補正して、この補正された目標温度に基づいて制御を行っている。
【先行技術文献】
【特許文献】
【０００４】
【特許文献１】特開２００９−１２１７６３号公報
【発明の概要】
【発明が解決しようとする課題】
【０００５】
しかしながら、この暖房装置では、床暖房パネルの床材厚さが薄い場合、温調水の目標温度が低くなり、暖房運転の開始時には、この低い目標温度に基づいて制御されるため、床暖房パネルの温度の立ち上がりが遅くなるという問題があった。
【０００６】
そこで、本発明は、床暖房パネルの温度の立ち上がりを速くできる暖房装置を提供することを目的とする。
【課題を解決するための手段】
【０００７】
第１の発明に係る暖房装置は、ヒートポンプユニットと、前記ヒートポンプユニットに接続され且つ温調水の温度を調整する暖房ユニットと、前記暖房ユニットから温調水が供給される床暖房パネルとを備えた暖房装置であって、前記床暖房パネルの設定温度を変更する設定温度変更手段と、前記設定温度変更手段により変更された設定温度に基づいて、前記暖房ユニットから前記床暖房パネルに供給される往き温水温度または前記床暖房パネルから前記暖房ユニットに戻される戻り温水温度の基準目標温度を決定する基準目標温度決定手段と、前記基準目標温度決定手段で決定された基準目標温度を、前記床暖房パネルの床材厚さが薄いほど低くなるように補正して、補正目標温度を決定する補正目標温度決定手段と、前記ヒートポンプユニット及び前記暖房ユニットを制御して暖房運転を行う制御手段とを有し、前記制御手段は、前記基準目標温度決定手段で決定された目標温度に基づいて暖房運転を開始すると共に、前記往き温水または前記戻り温水の温度が前記補正目標温度決定手段で決定された補正目標温度に達した後は、補正目標温度に基づいて暖房運転を行うことを特徴とする。
【０００８】
この暖房装置では、暖房運転の開始時には、補正目標温度よりも高い基準目標温度に基づいて制御されるため、運転開始時の制御を補正目標温度に基づいて行う場合に比べて、床暖房パネルの温度の立ち上がりを速くすることができる。
また、戻り温水温度が補正目標温度に達した後は、床材の厚さに応じて補正された補正目標温度に基づいて戻り温水温度が制御されるため、床暖房パネルを設定温度にすることができる。
【発明の効果】
【０００９】
以上の説明に述べたように、本発明によれば、以下の効果が得られる。
【００１０】
第１の発明では、暖房運転の開始時には、補正目標温度よりも高い基準目標温度に基づいて制御されるため、運転開始時の制御を補正目標温度に基づいて行う場合に比べて、床暖房パネルの温度の立ち上がりを速くすることができる。
また、戻り温水温度が補正目標温度に達した後は、床材の厚さに応じて補正された補正目標温度に基づいて戻り温水温度が制御されるため、床暖房パネルを設定温度にすることができる。
【図面の簡単な説明】
【００１１】
【図１】本発明の実施形態に係る暖房装置の概略構成を示す回路図である。
【図２】図１の暖房装置の制御ブロック図である。
【図３】図１の暖房装置の暖房運転時における床暖房パネルの温度、戻り温水温度、戻り温水の目標温度、熱動弁の開度を示すグラフである。
【発明を実施するための形態】
【００１２】
以下、本発明の実施形態に係る暖房装置１について説明する。
【００１３】
＜暖房装置１の全体構成＞
図１に示すように、本実施形態の暖房装置１は、室外機２（ヒートポンプユニット）と、暖房ユニット３と、複数（本実施形態では２つ）の床暖房パネル（暖房端末）４（４Ａ、４Ｂ）と、２つのリモコン５とを備えている。床暖房パネル４は、家屋の床面に設置され、室外機２と暖房ユニット３は屋外に設置される。暖房装置１では、室外機２と暖房ユニット３とによって冷媒循環回路６が構成されていると共に、暖房ユニット３と２つの床暖房パネル４とによって温水循環回路が構成されている。この暖房装置１では、室外機２から暖房ユニット３に高温冷媒が供給され、暖房ユニット３において高温冷媒との熱交換により加熱された温水が床暖房パネル４に供給される。
【００１４】
＜暖房装置１の冷媒循環回路６の構成＞
暖房装置１の冷媒循環回路６を構成する各部について説明する。
室外機２は、圧縮機１１、室外熱交換器１２、および電動膨張弁１３がこの順に設けられた冷媒流路６ａを有する。この冷媒流路６ａには、四路切換弁１４が設けられており、四路切換弁１４を切り換えることにより、圧縮機１１の吐出側と吸入側のいずれかが室外熱交換器１２に接続されるようになっている。また、冷媒流路６ａにおける圧縮機１１の吸入側と四路切換弁１４との間にはアキュムレータ１５が設けられている。室外熱交換器１２の近傍には、室外ファン１６が配置されている。電動膨張弁１３は、その開度が変化することによって、暖房ユニット３に送る冷媒量を変更でき、減圧機構として機能する。
【００１５】
冷媒流路６ａにおける圧縮機１１の吐出側には、吐出温度センサ１７が付設されている。また、冷媒流路６ａにおける四路切換弁１４の下流側（図１に示す冷媒の流れ方向における下流側）には、冷媒温度センサ１８が付設されている。また、冷媒流路６ａにおける電動膨張弁１３の上流側（図１に示す冷媒の流れ方向における上流側）には、冷媒温度センサ１９が付設されている。また、室外熱交換器１２には、室外熱交温度センサ２０が付設されている。
【００１６】
また、室外機２は、上述の冷媒流路６ａに加えて、制御部２１と、外気温度センサ２２とを備える。制御部２１は、暖房ユニット３の制御部３７と信号線で接続されている。
【００１７】
暖房ユニット３は、水熱交換器３１が設けられた冷媒流路６ｂを有している。この冷媒流路６ｂは、室外機２の冷媒流路６ａに接続されている。これにより、圧縮機１１、水熱交換器３１、電動膨張弁１３、および室外熱交換器１２が順に接続された冷媒循環回路６が構成される。この冷媒循環回路６においては、圧縮機１１により圧縮された高温高圧の冷媒が暖房ユニット３に供給され、暖房ユニット３の水熱交換器３１を通過した冷媒が室外機２に戻される。冷媒流路６ａにおける水熱交換器３１の下流側（図１に示す冷媒の流れ方向における下流側）には、流出冷媒温度センサ２３が設けられている。
【００１８】
＜暖房装置１の温水循環回路の構成＞
次に、暖房装置１の温水循環回路を構成する各部について説明する。
暖房ユニット３は、上述の冷媒流路６ａに加えて、温水流路７ａを有する。この温水流路７ａは、水熱交換器３１と、水熱交換器３１に接続された往き管４１および戻り管４２と、ヘッダ４５を介して往き管４１に接続された複数本の分岐往き管４３と、ヘッダ４６を介して戻り管４２に接続された複数本の分岐戻り管４４とで構成される。
【００１９】
往き管４１には、水熱交換器３１側から順に、貯留タンク３２と循環ポンプ３３が介設されている。また、分岐往き管４３には、熱動弁３４（３４Ａ、３４Ｂ）が介設されている。熱動弁３４Ａ、３４Ｂは、床暖房パネル４Ａ、４Ｂに送る温調水の流量を個別に変更するためのものである。
【００２０】
往き管４１における貯留タンク３２と循環ポンプ３３との間には、往き温度センサ３５が付設されており、戻り管４２における水熱交換器３１とヘッダ４６との間には、戻り温度センサ３６が付設されている。また、暖房ユニット３は、上述の冷媒流路６ａと温水流路７ａに加えて、暖房ユニット３の電気的制御を行う制御部３７を備える。
【００２１】
床暖房パネル４（４Ａ、４Ｂ）は、温水循環回路の一部を構成する蛇行形状のパイプと、パイプの上に設置される床材（図示省略）とを有する。床材としては、厚さの異なる様々な種類の床材を用いることがができる。
【００２２】
床暖房パネル４のパイプは、水配管７ｂ、７ｃを介して、暖房ユニット３の分岐往き管４３と分岐戻り管４４に接続されている。これにより、水熱交換器３１、貯留タンク３２、循環ポンプ３３、熱動弁３４、および床暖房パネル４が順に接続された温水循環回路が構成される。この温水循環回路においては、水熱交換器３１によって加熱された温調水が床暖房パネル４に供給され、床暖房パネル４から流出した冷媒が水熱交換器３１に戻されて、床暖房が行われる。
【００２３】
＜リモコン５＞
リモコン５では、ユーザーによって、運転の開始／停止の操作、床暖房パネル４の設定温度の変更などが行われる。リモコン５は、運転の開始／停止の操作、および温度設定は、床暖房パネル４Ａ、４Ｂごとに行うことができる。
【００２４】
このリモコン５では、レベル１〜９の９段階の設定温度レベルのいずれかを選択できるようになっており、１つの設定温度レベルが選択されると、その設定温度レベルに対応した設定温度が選択される。
【００２５】
また、リモコン５では、床暖房パネル４の床材の厚さに応じて、レベル１〜３の３段階の床材の厚さレベルのいずれかを選択できるようになっている。厚さレベル１は、床材厚さが最も薄いレベルである。
【００２６】
＜制御部６０＞
次に、図２を参照しつつ、暖房装置１を制御する制御部６０について説明する。
制御部６０は、上述のように室外機２に備えられた制御部２１と、暖房ユニット３に備えられた制御部３７とで構築されるものである。制御部６０は、記憶部６１と、基準目標温度決定部６２と、補正目標温度決定部６３と、目標温度切換部６４と、熱動弁制御部６５と、循環ポンプ制御部６６と、膨張弁制御部６７と、圧縮機制御部６８とを備えている。暖房装置１は、暖房ユニット３の戻り管４２を流れる温調水（以下、戻り温水という）の温度が目標温度になるように室外機２および暖房ユニット３を制御して暖房運転を行う。また、本実施形態の暖房装置１は、戻り温水の温度に基づいて目標温度を切り換えるようになっている。
【００２７】
記憶部６１には、設定温度や、制御プログラムや、制御プログラムの実行に必要なデータテーブルなどが記憶されている。さらに、記憶部６１には、床暖房パネル４の床材厚さレベルに応じた補正値が記憶されている。
【００２８】
基準目標温度決定部６２は、リモコン５２で設定された床暖房パネル４の設定温度に基づいて、戻り管４２を流れる戻り温水の基準目標温度を決定する。基準目標温度は、床材厚さレベルが最大レベル３の場合に、床暖房パネル４の床面温度が設定温度に一致するときの戻り温水の温度に基づいて設定される。
【００２９】
補正目標温度決定部６３は、床暖房パネル４の床材厚さレベルに基づいて、基準目標温度を補正して補正目標温度を決定する。補正目標温度決定部６３は、床暖房パネル４の床材厚さが最大レベル３よりも薄いほど、補正目標温度が低くなるように補正する。具体的には、例えば、床材厚さレベル１の場合には、基準目標温度から例えば９℃引いた値を、補正目標温度とし、床材厚さレベル２の場合には、基準目標温度から例えば５℃引いた値を、補正目標温度とする。また、床材厚さレベル３の場合には、基準目標温度と同じ値を補正目標温度とする。床材厚さレベル１、２の場合の補正値は、上記に限定されるものではない。
【００３０】
目標温度切換部６４は、暖房ユニット３に設けられた戻り温度センサ３６で検出される戻り温水温度Ｔｗに基づいて、戻り温水の目標温度を切り換える。
暖房運転の起動時は、基準目標温度を目標温度とする。そして、戻り温水温度Ｔｗが補正目標温度に達すると、目標温度を補正目標温度に切り換える。２つの床暖房パネル４の暖房運転を同時に起動する場合には、高い方の設定温度に基づいて決定された基準目標温度を目標温度とする。そして、戻り温水温度Ｔｗが、高い方の設定温度に基づいて決定された補正目標温度に達すると、目標温度をこの補正目標温度に切り換える。
【００３１】
また、目標温度切換部６４は、一方の床暖房パネル４のみ暖房運転を行っている途中に、この床暖房パネル４の設定温度よりも高い設定温度で、他方の床暖房パネル４の暖房運転を開始する場合には、目標温度を高い方の設定温度に基づいて決定された基準目標温度に切り換える。そして、戻り温水温度Ｔｗが、高い方の設定温度に基づいて決定された補正目標温度に達すると、目標温度をこの補正目標温度に切り換える。
【００３２】
また、目標温度切換部６４は、一方の床暖房パネル４のみ暖房運転を行っている途中に、この床暖房パネル４の設定温度と同じ設定温度で、他方の床暖房パネル４の暖房運転を開始する場合には、目標温度を補正目標温度で維持してもよく、基準目標温度に切り換えてもよい。目標温度を基準目標温度に切り換える場合は、戻り温水温度Ｔｗが補正目標温度に達すると、目標温度を補正目標温度に切り換える。
【００３３】
なお、本発明における「暖房運転を開始する」とは、２つの床暖房パネル４の暖房運転を停止している状態から暖房運転を開始（起動）する場合と、２つの床暖房パネル４のうちの一方の暖房運転を行っている途中に他方の床暖房パネル４の暖房運転を開始する場合を含む。
【００３４】
熱動弁制御部６５は、暖房ユニット３に設けられている熱動弁３４の開閉を制御する。
リモコン５２で運転開始の操作がなされた床暖房パネル４に対応する熱動弁３４を開状態とする。２つの床暖房パネル４の設定温度が異なる場合には、設定温度の高い方の床暖房パネル４に対応した熱動弁５３を開状態に維持し、設定温度の低い方の床暖房パネル４に対応した熱動弁５３については、開状態と閉状態とに交互に切り換える制御（間欠制御）を行う。間欠制御では、高い方の設定温度と低い方の設定温度との差に基づいて、開状態と閉状態の時間の比率が調整される。
【００３５】
循環ポンプ制御部６６は、暖房ユニット３に設けられた循環ポンプ３３の回転数を制御する。膨張弁制御部６７は、室外機２に設けられた電動膨張弁１３の開度を制御する。圧縮機制御部６８は、室外機２に設けられた圧縮機１１の運転周波数を制御する。
【００３６】
循環ポンプ制御部６６、膨張弁制御部６７、および圧縮機制御部６８は、暖房ユニット３に設けられた戻り温度センサ３６で検出される戻り温水温度Ｔｗが、目標温度切換部６４で決定された目標温度（基準目標温度または補正目標温度）に一致する（近づく）ように制御を行う。
より具体的には、循環ポンプ制御部６６は、目標温度と戻り温水温度Ｔｗとの差に基づいて、循環する温調水の流量が変化するように循環ポンプ３３を制御する。
また、膨張弁制御部６７は、目標温度と戻り温水温度Ｔｗとの差が大きいほど、暖房ユニット３に供給される冷媒量が多くなるように電動膨張弁１３を制御する。
圧縮機制御部６８は、目標温度と戻り温水温度Ｔｗとの差が大きいほど、圧縮機１１の周波数が増加するように圧縮機１１を制御する。
なお、目標温度と戻り温水温度Ｔｗとの差とは、目標温度から戻り温水温度Ｔｗを引いた値である。
【００３７】
＜暖房装置１の動作＞
次に、暖房装置１の動作について図３を参照しつつ説明する。
図３のグラフは、横軸が時間を示し、縦軸が、床暖房パネル４Ａ、４Ｂの床面温度、戻り温水温度Ｔｗ、目標温度切換部６４で決定される戻り温水の目標温度、熱動弁３４Ａ、３４Ｂの開度をそれぞれ示している。
【００３８】
図３に示すように、床暖房パネル４Ｂについて暖房運転を行っていない状態で、リモコン５により床暖房パネル４Ａについて運転開始の操作が行われると、基準目標温度決定部６２は、床暖房パネル４Ａの設定温度（図３ではレベル５）に基づいて基準目標温度Ａ１を決定し、補正目標温度決定部６３は、床材厚さレベルに基づいて基準目標温度Ａ１を補正して補正目標温度Ａ２を決定する。目標温度切換部６４は、目標温度を基準目標温度Ａ１に設定する。循環ポンプ制御部６６、膨張弁制御部６７、および圧縮機制御部６８は、戻り温水温度Ｔｗが基準目標温度Ａ１となるように、循環ポンプ３３、電動膨張弁１３、および圧縮機１１をそれぞれ制御する。熱動弁制御部６５は、熱動弁３４Ａを開状態に維持し、熱動弁３４Ｂを閉状態に維持する。
【００３９】
戻り温水温度Ｔｗが、補正目標温度Ａ２に達すると、目標温度切換部６４は、目標温度を補正目標温度Ａ２に切り換える。そして、循環ポンプ制御部６６、膨張弁制御部６７、および圧縮機制御部６８は、戻り温水温度Ｔｗが補正目標温度Ａ２となるように、循環ポンプ３３、電動膨張弁１３、および圧縮機１１をそれぞれ制御する。
【００４０】
床暖房パネル４Ａについて暖房運転を行っている途中に、床暖房パネル４Ａの設定温度よりも高い設定温度で、床暖房パネル４Ｂについて暖房運転を開始すると、基準目標温度決定部６２は、床暖房パネル４Ｂの設定温度（図３ではレベル８）に基づいて基準目標温度Ｂ１を決定し、補正目標温度決定部６３は、床材厚さレベルに基づいて基準目標温度Ｂ１を補正して補正目標温度Ｂ２を決定する。目標温度切換部６４は、目標温度を基準目標温度Ｂ１に切り換える。循環ポンプ制御部６６、膨張弁制御部６７、および圧縮機制御部６８は、戻り温水温度Ｔｗが基準目標温度Ｂ１となるように、循環ポンプ３３、電動膨張弁１３、および圧縮機１１をそれぞれ制御する。熱動弁制御部６５は、熱動弁３４Ｂを開状態に切り換えると共に、熱動弁３４Ａについて間欠制御を開始する。
【００４１】
戻り温水温度Ｔｗが、補正目標温度Ｂ２に達すると、目標温度切換部６４は、目標温度を補正目標温度Ｂ２に切り換えて、循環ポンプ制御部６６、膨張弁制御部６７、および圧縮機制御部６８は、戻り温水温度Ｔｗが補正目標温度Ａ２となるように、循環ポンプ３３、電動膨張弁１３、および圧縮機１１をそれぞれ制御する。
【００４２】
図３には、目標温度を補正目標温度Ａ２として床暖房パネル４Ａの暖房運転を開始した場合、の床暖房パネル４Ａの床面温度と戻り温水温度を一点鎖線で表示している。また、目標温度を補正目標温度Ｂ２として床暖房パネル４Ｂの暖房運転を開始した場合の床暖房パネル４Ｂの床面温度と戻り温水温度を二点鎖線で表示している。
【００４３】
床暖房パネル４Ａの暖房運転の開始時には、補正目標温度Ａ２よりも高い基準目標温度Ａ１に基づいて制御されるため、運転開始時の制御を補正目標温度Ａ２に基づいて行う場合（図３中一点差線）に比べて、床暖房パネル４Ａの温度の立ち上がりを速くすることができる。また、戻り温水温度が補正目標温度Ａ２に達した後は、床材の厚さに応じて補正された補正目標温度Ａ２に基づいて戻り温水温度が制御されるため、床暖房パネル４Ａを設定温度にすることができる。
【００４４】
また、床暖房パネル４Ａのみ暖房運転を行っている途中に、床暖房パネル４Ａの設定温度よりも高い設定温度で、床暖房パネル４Ｂの暖房運転を開始した場合、補正目標温度Ｂ２よりも高い基準目標温度Ｂ１に基づいて制御されるため、床暖房パネル４Ｂの運転開始時の制御を補正目標温度Ｂ２に基づいて行う場合（図３中二点差線）に比べて、床暖房パネル４Ｂの温度の立ち上がりを速くすることができる。また、戻り温水温度が補正目標温度Ｂ２に達した後は、床材の厚さに応じて補正された補正目標温度Ｂ２に基づいて戻り温水温度が制御されるため、床暖房パネル４Ｂを設定温度にすることができる。
【００４５】
このように、本実施形態の暖房装置１では、暖房運転の開始時には、補正目標温度よりも高い基準目標温度に基づいて制御されるため、運転開始時の制御を補正目標温度に基づいて行う場合に比べて、床暖房パネル４の温度の立ち上がりを速くすることができる。
また、戻り温水温度が補正目標温度に達した後は、床材の厚さに応じて補正された補正目標温度に基づいて戻り温水温度が制御されるため、床暖房パネル４を設定温度にすることができる。
【００４６】
以上、本発明の実施の形態について説明したが、具体的な構成は、上記実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００４７】
例えば、上記実施形態の暖房装置１は、暖房運転の起動時と、一方の床暖房パネル４の暖房運転の途中に他方の床暖房パネル４の暖房運転を開始するときに、基準目標温度に基づいて制御を行っているが、暖房運転の起動時のみ、基準目標温度に基づいて制御を行ってもよい。つまり、一方の床暖房パネル４の暖房運転の途中に他方の床暖房パネル４の暖房運転を開始するときには、補正目標温度に基づいて制御を行ってもよい。
【００４８】
上記実施形態では、制御部６０は、戻り管４２を流れる戻り温水の温度が目標温度になるように制御（戻り水温制御）して暖房運転を行うが、往き管４１を流れる往き温水の温度が目標温度になるように制御（往き水温制御）して暖房運転を行ってもよい。この場合、基準目標温度決定部６２は、往き温水の基準目標温度を決定し、補正目標温度決定部６３は、床材厚さが薄いほど低くなるように、この基準目標温度を補正して補正目標温度を決定する。
【００４９】
上記実施形態では、熱動弁３４は、オンオフ制御される開閉弁であるが、この熱動弁３４に代えて、開度を全開と全閉の間の複数位置に調整できる開閉弁を使用し、開度を制御することで、床暖房パネル４に供給される温水の流量を調整してもよい。
【００５０】
上記実施形態の暖房装置では、１つの暖房ユニット３に対して、床暖房パネル４が２つ接続されているが、１つだけ接続されていてもよい。また、３つ以上の床暖房パネル４が接続されていてもよい。
【００５１】
上記実施形態の暖房装置では、１つの室外機（ヒートポンプユニット）２に対して、暖房ユニット３が１つだけ接続されているが、２つ以上の暖房ユニット３が接続されていてもよい。また、１つの室外機２に対して、１つまたは複数の暖房ユニット３と、１つまたは複数の空気調和機が接続されていてもよい。空気調和機は、空気熱交換器とファンとを備え、暖房運転と冷房運転の両方を行う装置である。冷房運転を行う場合には、暖房ユニット３に供給する冷媒量を調整するための電動膨張弁１３を閉じた状態で、四路切換弁１４を図１中破線で示す状態に切り換える。
【産業上の利用可能性】
【００５２】
本発明を利用すれば、床暖房パネルの温度の立ち上がりを速くすることができる。
【符号の説明】
【００５３】
１  暖房装置
２  室外機（ヒートポンプユニット）
３  暖房ユニット
４  床暖房パネル
５  リモコン（設定温度変更手段）
６０  制御部（制御手段）
６２  基準目標温度決定部
６３  補正目標温度決定部
【図１】
2012172933.tif 000003
【図２】
2012172933.tif 000004
【図３】
2012172933.tif 000005